(57)【要約】【課題】情報処理装置にユーザが入出力装置の電力状態に関するデータを設定することにより、ユーザが入出力装置の前にいない場合の入出力装置の消費電力を低減する情報処理装置、プログラム及びシステムを提供する。【解決手段】入出力装置の電力状態に関するデータを格納する記憶部１０６を備えた情報処理装置１０１と、入出力装置１１０とを備えた情報処理システムであって、情報処理装置は、入出力装置との間で情報の授受を行なう入出力装置制御部１０４、１０５を備え、入出力制御部は、入出力装置からの入力データまたは入出力装置への出力データの転送を行なうか否かにかかわらず、入出力装置に対して電力状態に関する指示を行い、入出力装置は、その指示に基づき電力状態を制御するようにした。【選択図】　　　図１
2004126749.tif 000002
【特許請求の範囲】
【請求項１】
入出力装置の電力状態に関するデータを格納する記憶部と、
入出力装置との間で情報の授受を行なう入出力装置制御部と、を備えた情報処理装置であって、
前記入出力制御部は、前記入出力装置からの入力データまたは前記入出力装置への出力データの転送を行なうか否かにかかわらず、前記記憶装置に格納されたデータに基づいて該入出力装置に対して電力状態に関する指示を行なうこと、
を特徴とする情報処理装置。
【請求項２】
前記記憶部は、時刻と入出力装置の省電力制御内容との対応を示す管理表を記憶し、
前記入出力制御部は、前記管理表に従って前記入出力装置に対する指示を行うこと、を特徴とする請求項１記載の情報処理装置。
【請求項３】
前記指示は、所定の期間、所定の電力状態を維持することを指示するものであること、
を特徴とする請求項１または２記載の情報処理装置。
【請求項４】
情報処理装置に、
入出力装置からの入力データまたは前記入出力装置への出力データの転送を行なうか否かにかかわらず、該入出力装置に対して電力状態に関する指示を行わせること、
を特徴とするプログラム。
【請求項５】
入出力装置の電力状態に関するデータを格納する記憶部を備えた情報処理装置と、入出力装置とを備えた情報処理システムであって、
前記情報処理装置は、前記入出力装置との間で情報の授受を行なう入出力装置制御部を備え、
前記入出力制御部は、前記入出力装置からの入力データまたは前記入出力装置への出力データの転送を行なうか否かにかかわらず、前記記憶装置に格納されたデータに基づいて該入出力装置に対して電力状態に関する指示を行い、
前記入出力装置は、前記指示に基づき電力状態を制御すること、
を特徴とする情報処理システム。
【発明の詳細な説明】
【０００１】
【発明の属する技術分野】
本発明は情報処理装置、プログラム及び情報処理システムに関し、特にコンピュータ端末に接続されたモニタ装置の消費電力を、コンピュータ端末に設定された時刻に応じて低減するシステムおよび方法に関する。
【０００２】
【従来の技術】
従来のコンピュータ端末等の情報処理装置では、ユーザが設定した時刻になるとコンピュータ端末を自動的に起動させてメールの受信、ウィルスチェック、ＴＶ録画等を行うという用途が増大している。その際にコンピュータ端末の起動と同時にコンピュータ端末に接続されているモニタ装置等の入出力装置の電源も入る（特許文献１、２、３参照）。
【０００３】
【特許文献１】
特開２００２−０４１３９７号公報
【特許文献２】
特開平１１−０５３０６６号公報
【特許文献３】
特開平１０−１９０８５５号公報
【０００４】
【発明が解決しようとする課題】
上記従来技術においては、ユーザがモニタ装置等の入出力装置の前にいない場合でも、入出力装置に電源が入ってしまい、不要な電力が消費されてしまうという課題があった。通常、モニタ装置はコンピュータ端末からのビデオ信号（同期信号）の有無によって節電動作をするか否かの判断を行うが、コンピュータ端末の動作状態によってはビデオ信号をオフにすることができない場合があるので、この場合にはモニタ装置は節電動作に移行することができずに、無人運転中にもかかわらず常に無駄な電力が消費される。更に、ユーザが睡眠中の深夜等に、ユーザが設定した時刻にコンピュータ端末を自動的に起動させる動作をさせると、モニタ装置の明るさやスピーカからの音量により睡眠を妨げられるおそれがあるという課題もある。
【０００５】
本発明の目的は、上記従来技術における課題に鑑み、コンピュータ端末等の情報処理装置にユーザが時刻と省電力の内容との関係等、入出力装置の電力状態に関するデータを設定することにより、ユーザがモニタ装置等の入出力装置の前にいない場合のモニタ装置の消費電力を低減することにある。
【０００６】
【課題を解決するための手段】
上記目的を達成するために本発明の一態様により提供されるものは、入出力装置との間で情報の授受を行なう入出力装置制御部を備えた情報処理装置であって、入出力制御部は、入出力装置からの入力データまたは前記入出力装置への出力データの転送を行なうか否かにかかわらず、記憶装置に格納されたデータに基づいて入出力装置に対して電力状態に関する指示を行なうことを特徴とする情報処理装置である。
【０００７】
記憶部は、時刻と入出力装置の省電力制御内容との対応を示す管理表を記憶し、入出力制御部は、管理表に従って前記入出力装置に対する指示を行う。
【０００８】
その指示は、所定の期間、所定の電力状態を維持することを指示するものである。
【０００９】
本発明の他の態様により、情報処理装置に、入出力装置からの入力データまたは入出力装置への出力データの転送を行なうか否かにかかわらず、入出力装置に対して電力状態に関する指示を行わせることを特徴とするプログラムも提供される。
【００１０】
本発明の更に他の態様により、入出力装置の電力の状態に関するデータを格納する記憶部を備えた情報処理装置と、入出力装置とを備えた情報処理システムであって、情報処理装置は、入出力装置との間で情報の授受を行なう入出力装置制御部を備え、入出力制御部は、入出力装置からの入力データまたは入出力装置への出力データの転送を行なうか否かにかかわらず、記憶装置に格納されたデータに基づいて入出力装置に対して電力状態に関する指示を行い、入出力装置は、その指示に基づき電力状態を制御することを特徴とする情報処理システムも提供される。
【００１１】
【発明の実施の形態】
以下に本発明の実施の形態を図面によって詳述する。
【００１２】
図１は本発明の第１の実施の形態による情報処理システムの一形態である電力低減モニタ管理システムの構成を示すブロック図である。同図において、電力低減モニタ管理システムは、コンピュータ端末１０１（情報処理装置）とこれに接続された入出力装置の一形態であるモニタ装置１１０からなっている。コンピュータ端末１０１は市販のパーソナルコンピュータ端末（ＰＣ）である。コンピュータ端末１０１はオペレーティングシステム（ＯＳ）１０２と、アプリケーション格納部１０３と、ディスプレイドライバ１０４と、グラフィックアクセラレータ１０５と、アプリケーション格納部１０３、ディスプレイドライバ１０４、グラフィックアクセラレータ１０５、等ＰＣ１０１内の各種装置を制御する中央処理装置（ＣＰＵ）１０７とを備えている。
【００１３】
アプリケーション格納部１０３には様々なアプリケーションが格納されている。本発明により、アプリケーション格納部１０３にタスク管理アプリケーション１０６を格納する。このタスク管理アプリケーション１０６には、所定時間とモニタ装置の省電力の内容との関係がユーザにより設定される。例えば、午前２時から午前６時までに、ＴＶ録画をし、その間のモニタの明るさは最も明るいレベルを１００として２０に設定する。また、その間の音量は０に設定する。明るさの設定は、モニタ装置が液晶ディスプレイである場合に、その液晶パネルのバックライト輝度を設定する、
入出力装置の一例としてのバックライトを備えた表示装置であればよい。図示例は液晶表示装置の場合であり、液晶ディスプレイ（ＬＣＤ）コントローラ１１１と、モニタの型や解像度等に関する情報であるＥＤＩＤ（Ｅｘｔｅｎｄｅｄ　Ｄｉｓｐｌａｙ　Ｉｄｅｎｔｉｆｉｃａｔｉｏｎ　Ｄａｔａ）を格納しているＥＥＰＲＯＭ１１２と、モニタ装置の動作用のソフトウェアを格納するＲＯＭ１１３と、モニタ装置の全体の動作を制御するマイクロプロセッサ（ＭＰＵ）１１４と、通常動作時におけるモニタの明るさ、コントラスト、音量等の各種設定値を格納するＥＥＰＲＯＭ１１５と、ＬＣＤユニット１１６と、ＬＣＤユニット１１６に設けられている冷陰極管（バックライト）を駆動するためのインバータ１１７と、オーディオアンプ１１８とを備えている。オーディオアンプ１１８を含まないモニタ装置であってもよい。
【００１４】
タスク管理アプリケーション１０６に設定するモニタの明るさの制御は、バックライトの輝度および必要に応じてコントラスト又はカラーレベルも合せて制御することにより実現される。モニタ装置１１０の設計仕様により、ビデオ信号の電圧レベルを低下させたりコントラスト又はカラーレベルを低下させても電力が低減しない場合もあるが、明るさは低下するので睡眠を妨またげることはないという効果は得られる。
【００１５】
モニタ装置１１０に通常使用時のディスプレイの明るさや音量等の設定値を表示させるＯＳＤ（Ｏｎ　Ｓｃｒｅｅｎ　Ｄｉｓｐｌａｙ）の機能がある場合は、値はモニタ装置１１０内のＥＥＰＲＯＭ１１５に書き込まれる。
【００１６】
図１に示した構成では、コンピュータ端末１０１内のグラフィックアクセラレータ１０５とモニタ装置１１０内のＬＣＤコントローラ１１１とが、ＶＥＳＡ（ＶｉｄｏｅＥｌｅｃｔｒｏｎｉｃｓ　Ｓｔａｎｄａｒｄ　Ａｓｓｏｃｉａｔｉｏｎ）が規定しているＤＤＣ／ＣＩ（Ｄｉｓｐｌａｙ　Ｄａｔａ　Ｃｈａｎｎｅｌ　Ｃｏｍｍａｎｄ　Ｉｎｔｅｒｆａｃｅ　Ｓｔａｎｄａｒｄ）の仕様に基づく信号線１２０を介して接続されている。また、コンピュータ端末１０１とモニタ装置１１０との間で使用するコマンドは、例えば、ＶＥＳＡが規定しているＭＣＣＳ（Ｍｏｎｉｔｏｒ　Ｃｏｎｔｒｏｌ　Ｃｏｍｍａｎｄ）のものを利用する。例えばバックライト輝度を下げることによって消費電力を低減させるには、アドレス（１０ｈ）に現在の設定より低い数値を送る。ただし、バックライトオフや音量調整に相当するコマンドは存在しないので、ＭＣＣＳで独自に持つことが許されているアドレス（Ｅ０ｈ−ＦＦｈ）に新たにコマンドを追加して対応する。
【００１７】
コンピュータ端末１０１内のディスプレイドライバ１０４及びグラフィックアクセラレータ１０５から、上記ＤＤＣ信号線１２０を介して、ＬＣＤコントローラ１１１内のＲＡＭ（図示せず）に格納され、このＲＡＭからＭＰＵ１１４経由でＥＥＰＲＯＭ１１５に送られて、ＥＥＰＲＯＭ１１５に設定されている通常時のモニタの明るさや音量を送られて来た値で変更する。モニタ装置１１０ではＭＰＵ１１４がＬＣＤコントローラ１１１内のＲＡＭに格納されている内容に基づいて、インバータ１１７及びオーディオアンプ１１８の出力を制御する。
【００１８】
図２は本発明の第２の実施の形態による電力低減モニタ管理システムの構成を示すブロック図である。同図において、構成要素は図１に示したものと同じである。図１と異なるところは、図２においてはＤＤＣ信号線１２０がＬＣＤコントローラ１１１に接続されておらず、その代わりにＭＰＵ１１４に接続されていることである。この構成によっても図１と同様にコンピュータ端末１０１に設定した内容に応じてモニタ装置１１０の電力を節約することが可能である。
【００１９】
図３は図１及び図２に示したモニタ装置１１０内のＬＣＤユニット１１６の構成を示す図である。ＬＣＤユニット１６それ自体は周知のものである。図３において、３１は液晶パネル、３２はバックライトの役割をする冷陰極管、３３は冷陰極管３２に電力を供給するインバータ、３４は冷陰極管３２から発せられた光を液晶パネル３１に導く導光板である。本発明の実施の形態により、タスク管理アプリケーション１０６に設定された内容に応じて、所定時間に冷陰極管３２に供給される電力が制限される。
【００２０】
図４は図１又は図２に示した電力低減モニタ管理システムの動作を説明するフローチャートである。同図において、ステップ４０１にてユーザはタスク管理アプリケーション１０６に、コンピュータ端末１０１及びモニタ装置１１０を自動運転させる作業内容を設定する。作業内容としては、例えば、前述の例のような午前２時から午前６時の間、ＴＶ録画をし、その間のモニタの明るさは０とし、スピーカの音量も０とする場合や、ウィルススキャン、バックアップ等がある。ここでモニタの明るさが０であるとは、バックライトをオフにすることとは異なる。通常はビデオ信号がコンピュータ端末１０１からモニタ装置１１０に与えられている期間はインバータ１１７を完全にはオフにしないが、バックライト輝度と必要に応じてコントラスト又はカラーレベルの少なくとも一方を調整することにより明るさを調整する。これに代えて、インバータ１１７をオフにすることによりバックライトをオフにしてもよい。また、音量を０にするとはオーディオアンプ１１８のミュート機能を働かせることと同じ効果を奏することである。
【００２１】
次いでステップ４０２にて、ユーザはコンピュータ端末（ＰＣ）１０１の電源をオフにするとき、タスク管理アプリケーション１０６が自動起動する時刻と自動終了する時刻をＢＩＯＳ（Ｂａｓｉｃ　Ｉｎｐｕｔ　Ｏｕｔｐｕｔ　Ｓｙｓｔｅｍ）に設定する。ＢＩＯＳとはディスクやキーボード、グラフィックス等をコントロールするプログラムである。タスク管理アプリケーション１０６がユーザーによって設定された作業内容を自動運転する時刻より数分前にコンピュータ端末１０１が起動するようにＢＩＯＳを設定する。
【００２２】
次いでステップ４０３にて、自動起動設定時刻になるとＢＩＯＳがコンピュータ端末１０１を起動する。
【００２３】
次いでステップ４０４にて、ＢＩＯＳはＤＤＣ１２０を利用してＥＥＰＲＯＭ１１２に設定されているＥＤＩＤの内容（モニタ装置のプロファイル）を、グラフィックアクセラレータ１０５経由で読み込む。
【００２４】
次いでステップ４０５にて、クラフィックアクセラレータ１０５は、ステップ４０４で読み込んだモニタのプロファイルに基づいて、そのモニタ装置に適したビデオ信号をモニタ装置１１０に出力する。
【００２５】
次いでステップ４０６にて、ＯＳ１０２が起動する。
【００２６】
ステップ４０２から４０６までの動作は、ユーザがステップ４０１でタスク管理アプリケーション１０６の設定をした後にコンピュータ端末１０１の電源をオフにした場合にのみ、実行される動作である。また、ステップ４０４から４０６は全てのコンピュータ端末の起動時には必ず行われる動作である。
【００２７】
次いでステップ４０７にて、設定時刻になるとタスク管理アプリケーション１０６がＴＶ録画ソフトを起動する。
【００２８】
次いでステップ４０８にてタスク管理アプリケーション１０６は現状のモニタ装置１１０の設定値をＥＥＰＲＯＭ１１５から読み込み、コンピュータ端末１０１内に保存する。この動作は、コンピュータ端末１０１の自動運転の終了後にモニタ装置を元の状態、例えば、明るさ１００、音量５０等、に戻すために必要である。
【００２９】
次いでステップ４０９にて、タスク管理アプリケーション１０６はモニタ装置１１０に自動運転中の動作条件をＤＤＣ１２０を利用して送信する。図１の例ではＤＤＣ／ＣＩ（Ｄｉｓｐｌａｙ　Ｄａｔａ　Ｃｈａｎｎｅｌ　Ｃｏｍｍａｎｄ　Ｉｎｔｅｒｆａｃｅ）標準の規定によりアドレス６Ｅが割当てられたＬＣＤコントローラ１１１（図１の場合）又はＭＰＵ１１４（図２の場合）に対して、「明るさ”０”、音量”０”」の設定値を送る。
【００３０】
次いでステップ４１０にて、モニタ装置１１０内のＭＰＵ１１４は、コンピュータ端末１０１から送られてきた条件に従って、インバータ１１７およびオーディオアンプ１１８を制御する。インバータ１１７の制御によりバックライト用の冷陰極管に供給される電力が低減される。モニタ装置１１０にＯＳＤ（Ｏｎ　ＳｃｒｅｅｎＤｉｓｐｌａｙ）の機能がある場合は、コンピュータ端末１０１から送られてきたディスプレイの明るさ、音量等の条件はＥＥＰＲＯＭ１１５に書き込まれる。
【００３１】
次いでステップ４１１にて、開始設定時刻になるとＴＶ録画が開始される。
【００３２】
次いでステップ４１２にて、終了設定時刻になるとＴＶ録画が終了する。
【００３３】
次いでステップ４１３にて、タスク管理アプリケーション１０６は、ステップ４０８にて保存しておいた元の設定値（明るさ：１００、音量：５０）を、ＤＤＣ１２０を介してモニタ装置１１０のアドレス６Ｅのデバイス（ＬＣＤコントロータ１１１又はＭＰＵ１１４）に送信する。
【００３４】
次いでステップ４１４にて、モニタ装置１１０内のＭＰＵ１１４は、送られてきた条件に従って、インバータ１１７およびオーディオアンプ１１８をコントロールし、更に送られた設定値をＥＥＰＲＯＭ１１５に書き込む。これにより、モニタ装置１１０は普段ユーザが使用しているときの元の状態に戻る。
【００３５】
次いでステップ４１５にて、タスク管理アプリケーション１０６はコンピュータ端末（ＰＣ）１０１をシャットダウンさせる。
【００３６】
以上の動作により、コンピュータ端末１０１からビデオ信号がモニタ装置１１０に出力されている間でも、ユーザが設定した時間の間はモニタ装置の電力消費を低減させることができる。
【００３７】
図５は図４に示した動作を分かりやすく説明する図である。同図において、ステップ５０１でタスク管理アプリケーション１０６がコンピュータ端末（ＰＣ）１０１を起動させる。これは図４のステップ４０３に相当し、実際の録画開始の数分前に行われる。
【００３８】
ステップ５０２で、コンピュータ端末（ＰＣ）１０１はモニタ装置１１０の設定値を読み込み保存する。これは図４のステップ４０８に相当する。
【００３９】
ステップ５０３で、タスク管理アプリケーション１０６に設定された電力低減のための値（例えば、明るさ３０、音量０）をモニタ装置１１０に送信する。これは図４のステップ４０９に相当する。
【００４０】
ステップ５０４でＴＶ録画が開始されステップ５０５でＴＶ録画が終了する。ステップ５０４と５０５の間、図示例では午前２時から午前６時、はモニタ装置の明るさは暗くなっており、音量は０である。したがって、ユーザがモニタ装置１１０の前にいない場合には不要な電力の消費は抑えられ、且つ、明るさや音により睡眠が妨害されることもない。この間の動作は図４のステップ４１１および４１２に相当する。
【００４１】
ステップ５０６で、コンピュータ端末（ＰＣ）１０１はステップ５０２で保存した設定値をモニタ装置１１１に送信する。この動作は図４のステップ４１３に相当する。
【００４２】
ステップ５０７で，タスク管理アプリケーション１０６はコンピュータ端末（ＰＣ）１０１をシャットダウンさせる。この動作は図４のステップ４１５に相当する。
【００４３】
図６は本発明の実施の形態により得られる効果を説明するグラフ図である。図示のように、明るさの調整値を最大から最小まで変化させると、液晶ディスプレイの消費電力もそれに比例して減少する。ただし、明るさを０にしても液晶ディスプレイの消費電力は０にはならない。これは、ユーザが液晶ディスプレイを使用する場合、明るさの設定値がどのような値であっても、バックライトは常に点灯させるのが通例だからである。殆どの製品はディスプレイの明るさを調整する場合、このバックライトの明るさを調整する。バックライトを点灯させるにはある一定以上の電力が必要になるので、明るさを最低に調整してもバックライトの消費電力が０になることはない。さらに、バックライト点灯に最低限必要な電力以外に、その他の部品の消費電力もある。バックライトをオフにしてもこの分の消費電力は発生する。本発明の実施の形態によれば、ユーザがコンピュータ端末の自動運転中のモニタ装置の明るさを任意に設定できる。この明るさの設定は輝度およびコントラスト又はカラーレベルの少なくとも一つを制御することにより暗くすることができる。輝度およびコントラスト又はカラーレベルを制御する替わりに、本発明の他の実施の形態によりバックライトをオフにすることも可能である。バックライトをオフにするとディスプレイ上の画面は全く見えなくなるが、ユーザがモニタ装置の前に不在である場合には見えなくなっても問題はない。
【００４４】
以上に説明した実施の形態は本発明を例示的に説明するためのものであって、本発明はこの実施の形態に限定されない。バックライトを備えた表示装置であれば良い。また、コンピュータ端末とモニタ装置との間はＶＥＳＡが規定しているＤＤＣ／ＣＩの仕様に基づくことに替えて他の仕様に基づいてもよい。
【００４５】
また、入出力装置の一例として表示装置、特にＬＣＤについて説明したが、ＣＲＴ、オーディオ機器、キーボード、マウス等、他の多くの入出力装置についても本願発明が適用できる。
（付記１）　データを格納する記憶部と、
該記憶部に格納されたデータに基づいて入出力装置との間で情報の授受を行なう入出力装置制御部と、を備えた情報処理装置であって、
前記入出力制御部は、前記入出力装置からの入力データまたは前記入出力装置への出力データの転送を行なうか否かにかかわらず、該入出力装置に対して電力状態に関する指示を行なうこと、
を特徴とする情報処理装置。
（付記２）　前記記憶部は、時刻と入出力装置の省電力制御内容との対応を示す管理表を記憶し、
前記入出力制御部は、前記管理表に従って前記入出力装置に対する指示を行うこと、を特徴とする付記１記載の情報処理装置。
（付記３）　前記指示は、所定の期間、所定の電力状態を維持することを指示するものであること、
を特徴とする付記１または２記載の情報処理装置。
（付記４）　前記入出力装置は表示装置であり、
前記指示は、表示装置の輝度を制限することを指示するものであること、
を特徴とする付記１から３のいずれか一項に記載の情報処理装置。
（付記５）　情報処理装置に、
入出力装置からの入力データまたは前記入出力装置への出力データの転送を行なうか否かにかかわらず、該入出力装置に対して電力状態に関する指示を行わせること、
を特徴とするプログラム。
（付記６）　前記入出力装置は表示装置であり、
前記出力データは画像データであること、
を特徴とする付記５記載のプロブラム。
（付記７）　データを格納する記憶部を備えた情報処理装置と、入出力装置とを備えた情報処理システムであって、
前記情報処理装置は、前記入出力装置との間で情報の授受を行なう入出力装置制御部を備え、
前記入出力制御部は、前記入出力装置からの入力データまたは前記入出力装置への出力データの転送を行なうか否かにかかわらず、該入出力装置に対して電力状態に関する指示を行い、
前記入出力装置は、前記指示に基づき電力状態を制御すること、
を特徴とする情報処理システム。
（付記８）　前記入出力装置はバックライトを備えたＬＣＤであること、
を特徴とする付記７記載の情報処理システム。
（付記９）　前記入出力装置はバックライトを備えたＬＣＤであり、
前記ＬＣＤは、冷陰極管を駆動するインバータの出力電力を低下させること、または調光周期内の点灯期間を短くすることにより前記バックライトの輝度を制限すること、を特徴とする付記８記載の情報処理システム。
（付記１０）　データを記憶部に格納し、
該記憶部に格納されたデータに基づいて、入出力装置制御部により入出力装置との間で情報の授受を行なう情報処理方法であって、
前記入出力制御部は、前記入出力装置からの入力データまたは前記入出力装置への出力データの転送を行なうか否かにかかわらず、該入出力装置に対して電力状態に関する指示を行なうこと、
を特徴とする情報処理方法。
（付記１１）　時刻と入出力装置の省電力制御内容との対応を示す管理表を前記記憶部に記憶させ、
前記管理表に従って前記入出力装置に対する指示を前記入出力制御部により行わせること、を特徴とする付記１０記載の情報処理方法。
（付記１２）　前記指示は、所定の期間、所定の電力状態を維持することを指示するものであること、を特徴とする付記１０または１１記載の情報処理方法。
（付記１３）　前記入出力装置は表示装置であり、
前記指示は、表示装置の輝度を制限することを指示するものであること、
を特徴とする付記１０から１２のいずれかに記載の情報処理方法。
（付記１４）　データを情報処理装置内の記憶部に格納し、
前記情報処理装置と入出力装置との間で入出力装置制御部により情報の授受を行ない、
前記入出力制御部は、前記入出力装置からの入力データまたは前記入出力装置への出力データの転送を行なうか否かにかかわらず、該入出力装置に対して電力状態に関する指示を行い、
前記入出力装置は、前記指示に基づき電力状態を制御すること、
を特徴とする情報処理方法。
（付記１５）　前記入出力装置はバックライトを備えたＬＣＤであること、
を特徴とする付記１４記載の情報処理方法。
（付記１６）　前記入出力装置はバックライトを備えたＬＣＤであり、
前記ＬＣＤは、冷陰極管を駆動するインバータの出力電力を低下させること、または調光周期内の点灯期間を短くすることにより前記バックライトの輝度を制限すること、を特徴とする付記１５記載の情報処理方法。
（付記１７）　前記入出力装置はスピーカであり、前記指示は、所定時間の間前記スピーカの出力を低下させるように指示するものであることを特徴とする付記１０から１２のいずれか一項記載の情報処理方法。
（付記１８）　コンピュータ端末に時刻とモニタ装置の省電力制御内容とを関係付けたタスク管理アプリケーションを予め格納し、前記コンピュータ端末からビデオ信号が前記モニタ装置に入力されていても、前記タスク管理アプリケーションの設定内容に応じて前記モニタ装置の省電力制御をすることを特徴とする電力低減モニタ管理方法。
【００４６】
【発明の効果】
以上の説明から明らかなように、本発明によれば、情報処理装置に入出力装置の電力状態に関するデータを設定することにより、情報処理装置が自動起動した場合でユーザが入出力装置の前にいない場合の入出力装置の消費電力を低減することが可能になるという効果を奏する。さらに、ユーザが睡眠中の深夜等に、ユーザが設定した時刻に情報処理装置を自動的に起動させても、モニタ装置等の入出力装置の明るさやスピーカからの音量により睡眠を妨げられることがなくなるという効果も得られる。
【図面の簡単な説明】
【図１】本発明の第１の実施の形態による電力低減モニタ管理システムの構成を示すブロック図である。
【図２】本発明の第２の実施の形態による電力低減モニタ管理システムの構成を示すブロック図である。
【図３】図１及び図２に示したモニタ装置１１０内のＬＣＤユニット１１６の構成を示す図である。
【図４】図１又は図２に示した電力低減モニタ管理システムの動作を説明するフローチャートである。
【図５】図４に示した動作を分かりやすく説明する図である。
【図６】本発明の実施の形態により得られる効果を説明するグラフ図である。
【符号の説明】
１０１…コンピュータ端末
１０６…タスク管理アプリケーション
１１０…モニタ装置
１１１…ＬＣＤコントローラ
１１４…マイクロプロセッサ
１１６…ＬＣＤユニット
１１７…インバータ
１１８…オーディオアンプ
【図１】
2004126749.tif 000003
【図２】
2004126749.tif 000004
【図３】
2004126749.tif 000005
【図４】
2004126749.tif 000006
【図５】
2004126749.tif 000007
【図６】
2004126749.tif 000008